【事件の表示】
　特願２００８−　５７９３０「ヒートポンプ式給湯機」拒絶査定不服審判事件〔平成２１年　９月２４日出願公開、特開２００９−２１６２６１〕について、次のとおり審決する。
【結　論】
　本件審判の請求は、成り立たない。
【理　由】
１．手続の経緯
　本願は、平成２０年３月７日の出願であって、平成２５年１月１７日付けで拒絶査定がなされ、これに対して、同年４月１７日に拒絶査定不服審判が請求されると同時に、特許請求の範囲及び明細書について手続補正がなされたものである。
　その後、当審において、同年７月８日付けで審判請求人に前置報告書の内容を示し意見を求めるための審尋を行ったところ、同年８月２９日に回答書が提出されたものである。
　
２．平成２５年４月１７日の手続補正（以下「本件補正」という。）についての補正の却下の決定
［補正却下の決定の結論］  
　本件補正を却下する。
　
［理由］
（１）補正後の請求項１に記載された発明
　本件補正により、請求項１は、
「　蒸気圧縮式冷凍回路を収納するケーシング（１０）と、
　前記蒸気圧縮式冷凍回路の低圧側に接続されている空気熱交換器（２４）と、
　前記空気熱交換器（２４）に送風するプロペラファン（２９）と、
　前記蒸気圧縮式冷凍回路の高圧側に接続されている水熱交換器（２２）と、
　前記水熱交換器（２２）で加熱された水を貯えるタンク（３１）と、
を備え、
　前記ケーシング（１０）は、
　排気用の吹き出し開口（１３ａ）が形成されている開口側面（１３）と、
　前記開口側面（１３）と所定距離を隔てて向かい合う対向面（１７）と、
　前記開口側面（１３）と隣接する正面（１１）及び背面（１２）と、
を有し、
　前記正面（１１）及び前記背面（１２）の少なくとも一方に、吸気用の吸い込み開口（１１ａ，１２ａ）が形成されており、
　前記プロペラファン（２９）および前記空気熱交換器（２４）は、前記ケーシング（１０）内に、前記吹き出し開口（１３ａ）、前記プロペラファン（２９）、前記空気熱交換器（２４）、前記対向面（１７）という順で並んで収納され、
　前記空気熱交換器（２４）と前記対向面（１７）との間には、前記吸い込み開口（１１ａ）から吸い込まれる空気を前記空気熱交換器（２４）に導くための外気取り入れ空間（１０ａ）が設けられており、
　前記タンク（３１）は、前記対向面（１７）を挟んで前記空気熱交換器（２４）の反対側となる位置に配置され、
　さらに、前記タンク（３１）は、前記ケーシング（１０）に収納されており、
　前記ケーシング（１０）は、前記タンク（３１）を挟んで前記開口側面（１３）の反対側となる位置に、作業用の開口（１４ａ）が形成された作業用側面（１４）をさらに有し
、
　さらに、前記ケーシング（１０）は、前記作業用側面（１４）及び前記対向面（１７）の幅寸法が前記開口側面（１３）の幅寸法と略同一となる直方体形状である、
ヒートポンプ式給湯機（１）。」
と補正された(下線は補正された箇所を示す）。
　
（２）独立特許要件
　上記請求項１の補正は、請求項１に記載した発明を特定するために必要な事項である「ケーシング（１０）」を「前記作業用側面（１４）及び前記対向面（１７）の幅寸法が前記開口側面（１３）の幅寸法と略同一となる直方体形状である」と限定するものであって、かつ、補正前の請求項１に記載された発明と補正後の請求項１に記載された発明の産業上の利用分野及び解決しようとする課題が同一であるので、上記請求項１の補正は第１７条の２第５項２号の特許請求の範囲の減縮を目的とするものに該当する。
　
　そこで、本件補正後の請求項１に記載された発明（以下「本願補正発明」という。）が特許出願の際独立して特許を受けることができるものであるか（特許法１７条の２第６項において準用する同法１２６条７項の規定に適合するか）について検討する。
　
ア　引用例
ア−１　原査定の拒絶の理由に引用された、本願の出願日前に頒布された刊行物である特開２００５−７６９３７号公報（以下「引用例１」という。）には、図面と共に次の事項が記載されている。
　
（ア）「【００１１】
  
この発明に基づいたヒートポンプ式給湯機においては、圧縮機、凝縮器、膨張弁、空気熱交換器、および、送風ファンを含むヒートホンプユニットと、ポンプ、水熱交換器、貯湯タンクを含む貯湯タンクユニットとを備えるヒートポンプ式給湯機であって、上記ヒートホンプユニットの構成部品と上記貯湯タンクユニットの構成部品とを、単一の筐体の内部に収容して一体化構造とした
（イ）「【００１９】
　また、縦方向（高さ方向）に十分なスペースを確保できない場合には、同一の筐体内において、貯湯タンクと空気熱交換器および送風ファンとを同一平面上に配設する構成を採用することも可能である。また、貯湯タンクを寝かせるように配設することも可能である。したがって、本発明の本質は、ヒートホンプユニットの構成部品と貯湯タンクユニットの構成部品とが、同一の筐体内に収容されるヒートポンプ式給湯機の構造にあり、以下に示す貯湯タンクと空気熱交換器および送風ファンとの配設位置は、一例にすぎない。
　・・・
【００２０】
　
本実施の形態におけるヒートポンプ式給湯機は、ヒートポンプユニット１００と、貯湯タンクユニット２００とに大別することができる。ヒートポンプユニット１００は、圧縮機１０１、凝縮器１０２、膨張弁１０３、および、空気熱交換器１０４を冷媒配管で連結して構成するヒートポンプ回路を有している。また、空気熱交換器１０４には、空気熱交換器１０４において大気からの吸熱を促すための送風ファン１０５が近接配置されている。一方、貯湯タンクユニット２００は、貯湯タンク２０１、循環ポンプ２０２、凝縮器１０２と熱交換する水熱交換器２０３、および、混合弁２０４を冷温水配管で連結して構成する給湯回路を有している。
（ウ）「【００２３】
　本実施の形態におけるヒートポンプ式給湯機の装置構成として、まず、縦長の筐体１０を備える。この
筐体１０は、ヒートポンプユニット１００および貯湯タンクユニット２００を取囲むように箱形状に設けられ、鋼板等により構成される。この筐体１０は、脚部１１、底板１２、側壁筐体１４、仕切板１６、および、天板１７とを備える。
（エ）「【００２６】
　一方、
仕切板１６により仕切られる上方空間には、空気熱交換器１０４および送風ファン１０５を配設する。
送風ファン１０５の前面側に位置する側壁筐体１４には、送風ファン１０５からの送風を吐出すための空気吐出口１８が設けられている（図３参照）。
空気熱交換器１０４の背面側に位置する天板１７には、空気吸込口１９ａが設けられ（図３参照）
空気熱交換器１０４の側面側に位置する側壁筐体１４にも、空気吸込口１９ａ，１９ｂが設けられている（図５参照）。
なお、
良好な空気の流通性を確保する観点からは、筐体１０に設けられる空気吸込口から離れた領域に空気熱交換器１０４を設置する構成が好ましい。
（オ）「【００３０】
  さらに、貯湯タンク２０１の近傍に、圧縮機１０１および水熱交換器２０３を配設したことにより、ヒートポンプユニット１００の構成部品であり、騒音の音源とされる圧縮機１０１と送風ファン１０５とが上下方向に分散配置され、ヒートポンプ式給湯機全体としての静音化を図ることが期待できる。
＜実施の形態２＞
  （装置構成）
  次に、
図７から図１１を参照して、実施の形態２におけるヒートポンプ式給湯機の装置構成について説明する。なお、ヒートポンプ式給湯機のシステムについては、上記実施の形態１の場合と同様である
図７は本実施の形態におけるヒートポンプ式給湯機を正面から見た内部構造図であり、図８は左側面から見た内部構造図であり、図９は背面から見た内部構造図であり、図１０は図７中Ｘ線矢視に対応する内部構造図であり、図１１は図７中ＸＩ線矢視に対応する内部構造図である。
　本実施の形態におけるヒートポンプ式給湯機の基本的な装置構成は、上記実施の形態１の装置構成と同じであり、相違点は、
貯湯タンクユニット２００に、補助貯湯タンク２１０が設けられ、この補助貯湯タンク２１０が同じ筐体１０の中に収納され、全体として一体化構造が採用されている
　【００３２】
　図７に示すように、
貯湯タンク２０１の上方に空気熱交換器１０４が配設される構成は、上記実施の形態１の装置構成と同じであり、貯湯タンク２０１の右側に、補助貯湯タンク２１０が配設されている。
　【００３３】
　（貯湯タンク２０１と補助貯湯タンク２１０と配管構成）
　次に、貯湯タンク２０１と補助貯湯タンク２１０と配管構成について、図１２から図１５を参照して説明する。なお、図１２は、貯湯タンク２０１と補助貯湯タンク２１０との配管構成を示す概略図であり、図１３は、貯湯タンク２０１のみを用いる場合の状態図であり、
図１４は、補助貯湯タンク２１０のみを用いる場合の状態図であり
（カ）「【００４２】
　また、
本実施の形態においては、補助貯湯タンク２１０の配設位置は、貯湯タンク２０１の右側に設けているが、空気吸込口１９ａ，１９ｂを塞がない構成を採用することで
貯湯タンク２０１の背面に補助貯湯タンク２１０を配設する構成の採用も可能である。
（キ）図７〜１１からみて、引用例１には「空気熱交換器１０４および送風ファン１０５は、側壁筐体１４、仕切板１６、および、天板１７により形成される空間内に配設され、側壁筐体１４は、送風ファン１０５の前面側に位置する側壁筐体１４、空気熱交換器１０４の左側面側に位置する側壁筐体１４、空気熱交換器１０４の右側面側に位置する側壁筐体１４、空気熱交換器１０４の背面側に位置する側壁筐体１４からなる」こと、「送風ファン１０５、空気熱交換器１０４は、筐体１０内に、空気吐出口１８、送風ファン１０５、空気熱交換器１０４、空気熱交換器１０４の背面側に位置する側壁筐体１４の順に並んで、収納されている」こと及び「筐体１０は、空気熱交換器１０４の背面側に位置する側壁筐体１４の幅寸法が送風ファン１０５の前面側に位置する側壁筐体１４の幅寸法と略同一であり、全体として直方体形状である」ことが示されている。
（ク）引用例１の記載からみて、貯湯タンク２０１の背面に補助貯湯タンク２１０を配設する構成を採用(記載事項（カ）)した場合においても、補助貯湯タンク２１０は、筐体１０の中に収納され、全体として一体化構造が採用される(記載事項（オ）段落【００３１】)と理解でき、また、筐体１０が全体として直方体形状である（記載事項（キ））ことが変更される理由もない。
　
　上記記載事項（ア）〜（カ）、図示事項（キ）及び認定事項（ク）を総合すると、引用例１には、次の発明（以下「引用発明」という。）が示されているということができる。
「ヒートポンプ式給湯機を構成するヒートポンプユニットと貯湯タンクユニットの構成部品を、収容して一体化構造とする単一の筐体１０を備え、
　ヒートホンプユニットは、ヒートポンプ回路と、空気熱交換器１０４と、空気熱交換器１０４において大気からの吸熱を促すための送風ファン１０５とを有し、
　貯湯タンクユニット２００は、貯湯タンク２０１と、補助貯湯タンク２１０と、凝縮器１０２と熱交換する水熱交換器２０３とを有し、
　筐体１０は、側壁筐体１４、仕切板１６、および、天板１７とを備え、
　送風ファン１０５の前面側に位置する側壁筐体１４には、送風ファン１０５からの送風を吐出すための空気吐出口１８が設けられ、
　空気熱交換器１０４の背面側に位置する天板１７には、空気吸込口１９ａが設けられ、空気熱交換器１０４の左側面側に位置する側壁筐体１４には、空気吸込口１９ｂが設けられ、
　さらに筐体１０は、空気熱交換器１０４の右側面側に位置する側壁筐体１４、および空気熱交換器１０４の背面側に位置する側壁筐体１４を有し、
　送風ファン１０５、空気熱交換器１０４は、筐体１０内に、空気吐出口１８、送風ファン１０５、空気熱交換器１０４、空気熱交換器１０４の背面側に位置する側壁筐体１４の順に並んで、収納され、
　良好な空気の流通性を確保する観点から、筐体１０に設けられる空気吸込口から離れた領域に空気熱交換器１０４が設置され、
　補助貯湯タンク２１０は、筐体１０の中に収納され、全体として一体化構造が採用され、
　貯湯タンク２０１の上方に空気熱交換器１０４、背面に補助貯湯タンク２１０を配設され、
　筐体１０は、空気熱交換器１０４の背面側に位置する側壁筐体１４の幅寸法が送風ファン１０５の前面側に位置する側壁筐体１４の幅寸法と略同一であり、全体として直方体形状である
　ヒートポンプ式給湯機」
　
ア−２　 同じく原査定の拒絶の理由に引用された、本願の出願日前に頒布された刊行物である特開２００２−２２１３６６号公報（以下「引用例２」という。）には、図面と共に次の事項が記載されている。
　
（ケ）「【特許請求の範囲】
【請求項１】　
貯湯タンクをケーシング内に収容した貯湯槽
給湯装置
給湯装置
【請求項２】　前記配管接続部の上を開放する
扉を前記ケーシングの側面に設ける
（コ）「【００２０】図１に本発明の太陽熱利用給湯システムＳの構成を模式的に説明するブロック図を示す。また、
図２に扉２１を閉めた状態の貯湯槽Ｐ
図３に扉２１を開けた状態の貯湯槽Ｐ
（サ）「【００２６】また、配管接続部２３の上には
貯湯槽Ｐを開放するためのメンテナンス用の扉２１を１以上、ケーシング２０の側面に設け
（シ）「【００３６】
メンテナンス用の扉２１及び作業用の開口２５の大きさ、数、開口構造については、例えばネジ止め、蝶番、はめ込み構造等が適用可能である。
　
ア−３　本願の出願日前に頒布された刊行物である特開２００７-２７８５４４号公報（以下「引用例３」という）には、図面と共に次の事項が記載されている。　
　
（ス）「【要約】
【課題】間口の狭い場所に設置しても、メンテナンスするときに、
前面板45を取り外して筐体22の前面を開放できる給湯装置11
【解決手段】筐体22の前面板45を左右方向に２分割し、各前面板45の左右方向の幅を筐体22の幅よりも小さくする。間口の狭い場所に設置しても、メンテナンスするときに、前面板45を取り外して筐体22の前面を開放できる。」
（セ）「【請求項１】
　給湯装置本体と、
　この給湯装置本体の前面側を覆う左右方向に分割された複数の前面板を有し、前記給湯装置本体を収容する筐体と
　を具備していることを特徴とする給湯装置。」
（ソ）「【０００７】
　本発明は、このような点に鑑みなされたもので、例えば間口の狭い場所に設置しても、
メンテナンスするときに、前面板を取り外して筐体の前面を確実に開放できる給湯装置
（タ）【００１７】
「　前面板45は、左右方向に同一幅で２分割されていて上下方向に細長い形状に形成されており、これら２つの
前面板45で筐体22の前面の開口部46を閉塞可能とする。各前面板45は、各横枠47および底面板42に対して、複数のねじ48で着脱可能に取り付けられている
　
ア−４ 　本願の出願日前に頒布された刊行物である実願昭６３-６７５６２号（実開平１-１７２６６９号）のマイクロフィルム（以下「引用例４」という）には、図面と共に次の事項が記載されている。
　
（チ）「　
前面パネルと両側パネルの三面を給湯機本体に対して着脱可能に取付けたことを特徴とする給湯機
（ツ）「（考案が解決しようとする課題）
　しかし、上記構造を採用しても給湯機の設置箇所によっては着脱式パネルの一方が壁側になることがあり、更に給湯機の上方には、通常給排気筒や給水及び給湯管が接続されているから、保守点検のたびにこれらを外して給湯機を壁から離さないと、壁側のパネルを取外すことができない。
　本考案は、かかる事情に鑑みてなされたものであり、その目的は種々のバリエーションで設置しても
保守点検の作業性が低下しない給湯機
（課題を解決するための手段）
　上記目的を達成するため、本考案の給湯機では前
面パネルと両側パネルの三面を給湯機本体に対して着脱可能に取付けている
（作用）
　この構成により、
給湯機側面のどちらが壁側になっても、片側のパネルと前面パネルの二面を確実に取外すことができ、保守点検時の作業性が確保される
　
イ　対比
　そこで、本願補正発明と引用発明とを対比すると、引用発明の「ヒートポンプ回路」、「大気からの吸熱を促すための送風ファン１０５」及び「送風ファン１０５からの送風を吐出すための空気吐出口１８」は、その機能からみて、それぞれ本願補正発明の「蒸気圧縮式冷凍回路」、「プロペラファン（２９）」及び「排気用の吹き出し開口（１３ａ）」に相当する。
　さらに、引用発明の「筐体１０」は、「ヒートポンプユニットと貯湯タンクユニットの構成部品を、収容して一体化構造」とするので、ヒートホンプユニットの構成要素である「ヒートポンプ回路」を収納するものということができる。よって、引用発明の「筐体１０」は、本願補正発明の「蒸気圧縮式冷凍回路を収納するケーシング（１０）」に相当する。
　引用発明の「空気熱交換器１０４」は、「大気からの吸熱」するものであるので、ヒートポンプ回路の低圧側に接続されているということができる。よって、引用発明の「空気熱交換器１０４」は、本願補正発明の「蒸気圧縮式冷凍回路の低圧側に接続されている空気熱交換器（２４）」に相当する。
　引用発明の「水熱交換器２０３」は、「凝縮器１０２と熱交換する」ものであるので、ヒートポンプ回路の高圧側に接続されているということができる。よって、引用発明の「水熱交換器２０３」は、本願補正発明の「蒸気圧縮式冷凍回路の高圧側に接続されている水熱交換器（２２）」に相当する。
　また、本願補正発明において、正面、側面又は背面という語が用いられているが、ケーシング（１０）のどの面が正面、側面又は背面であるかについて、特に技術的な意味は認められず、単に、各面の相対的な位置関係を表す表現以上のものではないということができる。そうすると、引用発明の「空気熱交換器１０４」、「空気吐出口１８」、「空気吸込口１９ｂ」等の位置関係からみて、引用発明の「送風ファン１０５の前面側に位置する側壁筐体１４」、「空気熱交換器１０４の背面側に位置する側壁筐体１４」、「空気熱交換器１０４の左側面に位置する側壁筐体１４」及び「空気熱交換器１０４の右側面に位置する側壁筐体１４」は、それぞれ、本願補正発明の「開口側面（１３）」、「開口側面（１３）と所定距離を隔てて向かい合う対向面（１７）」、「開口側面（１３）と隣接する正面（１１）」及び「（開口側面（１３）と隣接する）背面（１２）」に相当する。そうすると、引用発明の「 送風ファン１０５の前面側に位置する側壁筐体１４には、送風ファン１０５からの送風を吐出すための空気吐出口１８が設けられ」ていることは、本願補正発明の「排気用の吹き出し開口（１３ａ）」が、「開口側面（１３）」に形成されることに相当し、引用発明の「空気熱交換器１０４の左側面側に位置する側壁筐体１４」に設けられた「空気吸込口１９ｂ」は、本願補正発明の「正面（１１）」に形成された「吸気用の吸い込み開口（１１ａ）」に相当する。さらに、引用発明の「送風ファン１０５、空気熱交換器１０４は、筐体１０内に、空気吐出口１８、送風ファン１０５、空気熱交換器１０４、空気熱交換器１０４の背面側に位置する側壁筐体１４の順に並んで、収納され」ることは、本願補正発明の「プロペラファン（２９）および空気熱交換器（２４）は、ケーシング（１０）内に、吹き出し開口（１３ａ）、プロペラファン（２９）、空気熱交換器（２４）、対向面（１７）という順で並んで収納され」ることに相当する。
　そして、引用発明の「空気熱交換器１０４の背面側に位置する天板１７には、空気吸込口１９ａが設けられ」、「良好な空気の流通性を確保する観点から、筐体１０に設けられる空気吸込口から離れた領域に空気熱交換器１０４が設置され」ることは、空気熱交換器１０４と、空気熱交換器１０４の背面側に位置する側壁筐体１４との間に空間が設けられることであり、空気吸込口１９ａ、１９ｂ及び送風ファンの配置等からみて、上記空間には、空気吸込口１９ｂから吸い込まれる空気のみでなく、空気吸込口１９ｂから吸い込まれる空気が導かれることは明らかであるので、本願補正発明の「空気熱交換器（２４）と対向面（１７）との間には、吸い込み開口（１１ａ）から吸い込まれる空気を空気熱交換器（２４）に導くための外気取り入れ空間（１０ａ）が設けられ」ることに相当する。
　また、引用発明は、「補助貯湯タンク２１０は、筐体１０の中に収納され、全体として一体化構造が採用され、貯湯タンク２０１の上方に空気熱交換器１０４、背面に補助貯湯タンク２１０を配設され」るので、補助貯湯タンク２１０は、空気熱交換器１０４の背面側に位置する側壁筐体１４を挟んで、空気熱交換器１０４の反対側となる位置に配置されるということができる。そして、補助貯湯タンク２１０のみを用いる場合もある（記載事項（オ）段落【００３３】）ことを勘案すると、引用発明の「補助貯湯タンク２１０」は、本願補正発明の「対向面（１７）を挟んで空気熱交換器（２４）の反対側となる位置に配置され」た「タンク（３１）」に相当する。
　さらに、引用発明の「筐体１０は、空気熱交換器１０４の背面側に位置する側壁筐体１４の幅寸法が送風ファン１０５の前面側に位置する側壁筐体１４の幅寸法と略同一であり、全体として直方体形状である」は、本願補正発明の「ケーシング（１０）は、作業用側面（１４）及び対向面（１７）の幅寸法が開口側面（１３）の幅寸法と略同一となる直方体形状である」ことに相当する。
　
　そうすると、両者は、
「　蒸気圧縮式冷凍回路を収納するケーシングと、
　前記蒸気圧縮式冷凍回路の低圧側に接続されている空気熱交換器と、
　前記空気熱交換器に送風するプロペラファンと、
　前記蒸気圧縮式冷凍回路の高圧側に接続されている水熱交換器と、
　前記水熱交換器で加熱された水を貯えるタンクと、
を備え、
　前記ケーシングは、
　排気用の吹き出し開口が形成されている開口側面と、
　前記開口側面と所定距離を隔てて向かい合う対向面と、
　前記開口側面と隣接する正面及び背面と、
を有し、
　前記正面に、吸気用の吸い込み開口が形成されており、
　前記プロペラファンおよび前記空気熱交換器は、前記ケーシング内に、前記吹き出し開口、前記プロペラファン、前記空気熱交換器、前記対向面という順で並んで収納され、
　前記空気熱交換器と前記対向面との間には、前記吸い込み開口から吸い込まれる空気を前記空気熱交換器に導くための外気取り入れ空間が設けられており、
　前記タンクは、前記対向面を挟んで前記空気熱交換器の反対側となる位置に配置され、
　さらに、前記タンクは、前記ケーシングに収納されており、
　さらに、前記ケーシングは、前記対向面の幅寸法が前記開口側面の幅寸法と略同一となる直方体形状である、
ヒートポンプ式給湯機」
の点で一致し、
　
　本願補正発明が、「ケーシング（１０）は、タンク（３１）を挟んで開口側面（１３）の反対側となる位置に、作業用の開口（１４ａ）が形成された作業用側面（１４）をさらに有し」、「作業用側面（１４）」「の幅寸法が開口側面（１３）の幅寸法と略同一となる」ものであるのに対し、引用発明の筐体１０は、作業用の開口について不明である点で相違する。
　
ウ　判断
　一般に給湯機において、給湯タンクのメインテナンス等の作業のために、ケーシングに開口を形成し、開口を覆う着脱自在の扉又はパネル等を取り付けることは、例えば引用例２〜４等に示されるように周知の技術的事項である。そして、給湯機のケーシングに開口が形成される面は、技術的に特定の面でなければならないということはなく、メインテナンス等の作業性を考慮して、当業者が適宜決定し得ることである。
　引用発明においてもメインテナンス等の作業の必要性があることは当然であり、ケーシング（筐体１０）に作業用の開口を形成すること、及び、作業用の開口が形成される面を、ケーシング（筐体１０）のタンク（補助貯湯タンク２１０）を挟んで、開口側面（送風ファン１０５の前面側に位置する側壁筐体１４）の反対側となる位置とすることは、当業者が必要に応じて適宜なし得ることである。またその際に、引用発明のケーシング（筐体１０）は略直方体形状であるので、上記のケーシング（筐体１０）のタンク（補助貯湯タンク２１０）を挟んで、開口側面（送風ファン１０５の前面側に位置する側壁筐体１４）の反対側となる位置の面が、開口側面（送風ファン１０５の前面側に位置する側壁筐体１４）の幅寸法と略同一になることは明らかである。
  そして、技術常識からして、上記開口に取り付ける扉又はパネル等は、開口に異物を混入させないため及び外観の向上等のために取り付けられるものであるが、それらを期待しなければ、作業のために、上記扉又はパネルを外しておくことも、当業者にとって、困難なく行える選択肢の一つである。
　よって、上記相違点に係る本願補正発明の特定事項は、周知の技術的事項に基づいて当業者が容易に想到することである。
　
　そして、本願補正発明が、引用発明、周知の技術的事項以上の格別な作用・効果を奏するものとは認められない。 
　したがって、本願補正発明は、引用発明、周知の技術的事項に基づいて、当業者が容易に発明をすることができたものであるから、特許法２９条２項の規定により特許出願の際独立して特許を受けることができないものである。
                                        
（３）　むすび
　以上のとおり、本件補正は、改正前特許法１７条の２第６項で準用する同法１２６条７項の規定に違反するものであり、同法１５９条１項で準用する同法５３条１項の規定により却下されるべきものである。
　
３．本願発明について
　平成２５年４月１７日の手続補正は上記のとおり却下されたので、本願の請求項１に係る発明（以下「本願発明」という。）は、平成２４年１２月２０日付け手続補正書の特許請求の範囲の請求項１に記載された事項により特定される、以下のとおりのものである。
　
　「　蒸気圧縮式冷凍回路を収納するケーシング（１０）と、
　前記蒸気圧縮式冷凍回路の低圧側に接続されている空気熱交換器（２４）と、
　前記空気熱交換器（２４）に送風するプロペラファン（２９）と、
　前記蒸気圧縮式冷凍回路の高圧側に接続されている水熱交換器（２２）と、
　前記水熱交換器（２２）で加熱された水を貯えるタンク（３１）と、
を備え、
　前記ケーシング（１０）は、
　排気用の吹き出し開口（１３ａ）が形成されている開口側面（１３）と、
　前記開口側面（１３）と所定距離を隔てて向かい合う対向面（１７）と、
　前記開口側面（１３）と隣接する正面（１１）及び背面（１２）と、
を有し、
　前記正面（１１）及び前記背面（１２）の少なくとも一方に、吸気用の吸い込み開口（１１ａ，１２ａ）が形成されており、
　前記プロペラファン（２９）および前記空気熱交換器（２４）は、前記ケーシング（１０）内に、前記吹き出し開口（１３ａ）、前記プロペラファン（２９）、前記空気熱交換器（２４）、前記対向面（１７）という順で並んで収納され、
　前記空気熱交換器（２４）と前記対向面（１７）との間には、前記吸い込み開口（１１ａ）から吸い込まれる空気を前記空気熱交換器（２４）に導くための外気取り入れ空間（１０ａ）が設けられており、
　前記タンク（３１）は、前記対向面（１７）を挟んで前記空気熱交換器（２４）の反対側となる位置に配置され、
　さらに、前記タンク（３１）は、前記ケーシング（１０）に収納されており、
　前記ケーシング（１０）は、前記タンク（３１）を挟んで前記開口側面（１３）の反対側となる位置に、作業用の開口（１４ａ）が形成された作業用側面（１４）をさらに有している、
ヒートポンプ式給湯機（１）。」　
　
（１）引用例
　原査定の拒絶の理由に引用された引用例、周知の技術的事項を例示する文献及びそれらの記載事項は、前記「２．（２）ア」に記載したとおりである。　
　
（２）対比・判断
　本願発明は、前記２．で検討した本願補正発明から「ケーシング（１０）」の限定事項である「前記作業用側面（１４）及び前記対向面（１７）の幅寸法が前記開口側面（１３）の幅寸法と略同一となる直方体形状である」との構成を省いたものである。
　そうすると、本願発明の構成要件をすべて含み、さらに他の構成要件を付加したものに相当する本願補正発明が、前記２．（２）に記載したとおり、引用例１に記載された発明及び周知の技術的事項に基づいて、当業者が容易に発明をすることができたものであるから、本願発明も同様の理由により、引用例１に記載された発明及び周知の技術的事項に基づいて、当業者が容易に発明をすることができたものである。　
　
（３）むすび
　以上のとおり、本願発明は、引用例１に記載された発明及び周知の技術的事項に基づいて、当業者が容易に発明をすることができたものであるから、特許法第２９条２項の規定により特許を受けることができない。
　したがって、本願は、その余の請求項について言及するまでもなく、拒絶すべきものである。
　よって、結論のとおり審決する。